(57)【要約】【課題】  移動端末の位置を更新する位置更新システムを提供する。【解決手段】  移動端末の位置を更新する位置更新システムであって、移動端末が在圏する呼び出しエリアと、前記移動端末が在圏するドメインエリアと、前記移動端末と通信を行い前記移動端末の位置と前記ドメインエリアを更新する呼び出し位置更新サーバとを具備することを特徴とするシステム。【選択図】      図５
2004201316.tif 000002
【特許請求の範囲】
【請求項１】
移動端末に呼び出しを行う方法であって、
呼び出しエリアと、アプリケーション層と関係付けられるロケーションエリアに移動端末を配置するステップと、
前記呼び出しエリアと前記ロケーションエリアの外に前記移動端末を移動させるステップと、
この移動を受けて、前記移動端末の位置と前記アプリケーション層と関係付けられるドメインエリアを更新する呼び出し位置更新サーバに単一のメッセージを送信するステップと
を具備することを特徴とする方法。
【請求項２】
移動端末の位置を更新する方法であって、
移動端末から呼び出し位置更新サーバに信号を送信するステップと、
前記移動端末の信号が送信された呼び出しエリアを特定するステップと、
前記呼び出しエリアが、前記移動端末が現在関連付けられているか或いは接続されている呼び出しエリアと同一であるかどうかを判断するステップと、
前記移動端末の現在位置の更新と現在のＳＩＰドメインアドレスを前記呼び出し位置更新サーバに送信するステップと、
新しい呼び出しエリアに在圏する前記移動端末のＳＩＰドメインアドレスが前記移動端末の現在のＳＩＰドメインアドレスと同一であるかどうかを判断するステップと、
新しい呼び出しエリアに在圏する前記移動端末のＳＩＰドメインアドレスと前記移動端末の現在のＳＩＰドメインアドレスが異なる場合に、前記移動端末が在圏するＳＩＰドメインの現在のＳＩＰロケーションサーバに前記移動端末の新しいＳＩＰ位置を送信するステップと
を具備することを特徴とする方法。
【請求項３】
移動端末の位置を更新する位置更新システムであって、
移動端末が在圏する呼び出しエリアと、
前記移動端末が在圏するドメインエリアと、
前記移動端末と通信を行い前記移動端末の位置と前記ドメインエリアを更新する呼び出し位置更新サーバと
を具備することを特徴とするシステム。
【発明の詳細な説明】
【技術分野】
【０００１】
本発明は無線ネットワークの分野に関する。
【背景技術】
【０００２】
周知のように移動通信システムにおいて移動端末は、ネットワークに対してその位置を更新する必要がある。具体的にはネットワークと移動端末間のシグナリングを維持し、且つ移動端末の電源の消耗を減少させるために、移動端末は呼び出しエリアの境界を横断する時にのみネットワークに対してその位置を更新する。呼び出しエリアの境界を横断する頻度は、基地局や無線アクセスポイントによって管理される通信エリアの境界を横断する場合に比べて少ない。
【０００３】
近年、ＩＰベースの無線ネットワークにおける呼び出しの問題を解決するための方法がいくつか提案、研究されている。そのうちの１つがＩＥＴＦのＩＰ呼び出しに関するドキュメントにおいて提案されている（非特許文献１参照）。この提案は、同一の無線技術を用いる無線リンクからなるネットワークと様々な無線技術を用いる無線リンクからなるネットワークの２つの場合においてMobile IPが待機モード中の移動端末の位置をサポート可能か否かに関する。この提案では、特に呼び出しエリアが複数のサブネットを含む場合に、Mobile IPのシグナリングでは待機モード中の移動端末の位置を把握する上で不十分である旨が述べられている。移動端末は、Mobile IPの対応付け更新（binding update）メッセージが送信されるサブネット（例えばサブネットＸ）に留まらずに、待機モード中に、ＩＰアドレスが変更される新しいサブネット（例えばサブネットＹ）に移動する可能性がある。従って、何らかのサポートがないとサブネットＸのアクセスルータや外部エージェントは移動端末宛てパケットを送信できない。アクセスルータや外部エージェントが移動端末にパケットを届けるためには、移動端末が新しいサブネットＹでアクティブモードに変更した際にアクセスルータや外部エージェントに対してMobile IPの対応付け更新メッセージを送信する必要がある。
【非特許文献１】Ｊ．ケンプ（J. Kempf）、“待機モードにおけるホストによる呼び出し（ＩＰ呼び出し）の問題の報告（Dormant Mode Host Alerting ("IP Paging") Problem Statement）”[online]、２００１年６月、インターネットエンジニアリングタスクフォース（The Internet Engineering Task Force）、インターネット＜URL:http://www.ietf.org /rfc/rfc3132.txt＞
【０００４】
なおサブネットは、移動端末の存在を確認するMobile IPのシグナリングを行う構成単位である。移動端末があるサブネットから別のサブネットへ移動する際には、移動端末の気付アドレスを変更するためにMobile IPのシグナリングが必要となる。このシグナリングによって新しいサブネットにおける移動端末の存在が確認されることになる。一方呼び出しエリアは、待機モード中の移動端末の存在を確認するシグナリングを行う構成単位である。呼び出しエリア登録やヒューリスティックスを利用することによって、特定の呼び出しエリアに収容される待機モード中の移動端末の存在が確認される。
【０００５】
現在の移動通信システムでは、移動端末の確認が以下のように行われている。ネットワークは、呼び出しエリアと同一である地理的な位置エリア（Location Area: LA）の精度で自身に接続する全ての移動端末の位置を把握する。例えば、３ＧＰＰパケット交換ネットワークではホームロケーションレジスタが、移動端末が現在接続しているＳＧＳＮ（Serving GPRS Support Node）に基づいて当該移動端末の位置を把握する。データベース上の位置の更新は、接続する移動端末が位置エリアの境界を横断するたびに行われる。ネットワークは着呼を受け付けると着呼側移動端末の位置をセルの精度で把握する、すなわち移動端末とネットワーク間の無線シグナリングリンクが確立される基地局を特定する必要がある。呼び出し中、所定のメッセージが全ての基地局を介して位置エリア全域に同時に送信され、着呼側移動端末を発見する。移動端末は呼び出し要求を受信するとより強い受信信号強度で基地局に対して応答する。この場合、呼び出しエリアと位置エリアは同一のエリアである。
【０００６】
一般的に呼び出しエリアとサブネットの配置関係は無原則であるが、説明上まずは呼び出しエリアがサブネットのサブネットとなるか或いはその逆といった配置関係となるものとみなすことにする。上述したように、問題は待機モード中の移動端末が呼び出しエリア内のサブネット間を横断する際にアクティブモードに変更せずMobile IPの対応付け更新メッセージを送信しない場合である。上述のドキュメントに記載の方法ではＩＰ呼び出しの問題が解決されていないので、当該ドキュメントではその方法についてさらなる研究が行われていない。
【発明の開示】
【発明が解決しようとする課題】
【０００７】
サブネットのサイズはルータの最大能力による限定を受けるため１つの呼び出しエリアが複数のサブネットを含むことになる。待機モード中の移動端末は呼び出しエリアの境界を横断する際にMobile IPの対応付け更新メッセージを送信しないため、ルータはこの移動端末の位置を正確に知ることができない。従って待機モード中の移動端末の位置検出はＬ２呼び出し方式に完全に依存することになる。
【０００８】
呼び出し方式は呼を受信する上で重要である。移動通信システムの電源節約モードにより移動端末はたいてい休止または待機モードになっている。一旦呼を受け付けると移動端末は呼び出しチャネルを通じて呼び出される。
【課題を解決するための手段】
【０００９】
本発明の第１の態様は移動端末に呼び出しを行う方法に関する。この方法は呼び出しエリアと、アプリケーション層と関係付けられるロケーションエリアに移動端末を配置するステップと、前記呼び出しエリアと前記ロケーションエリアの外に前記移動端末を移動させるステップと、この移動を受けて、前記移動端末の位置と前記アプリケーション層と関係付けられるドメインエリアを更新する呼び出し位置更新サーバに単一のメッセージを送信するステップとを含む。
【００１０】
本発明の第２の態様は移動端末の位置を更新する方法に関する。この方法は移動端末から呼び出し位置更新サーバに信号を送信するステップと、前記移動端末の信号が送信された呼び出しエリアを特定するステップと、前記呼び出しエリアが、前記移動端末が現在関連付けられているか或いは接続されている呼び出しエリアと同一であるかどうかを判断するステップと、前記移動端末の現在位置の更新と現在のＳＩＰドメインアドレスを前記呼び出し位置更新サーバに送信するステップと、新しい呼び出しエリアに在圏する前記移動端末のＳＩＰドメインアドレスが前記移動端末の現在のＳＩＰドメインアドレスと同一であるかどうかを判断するステップと、新しい呼び出しエリアに在圏する前記移動端末のＳＩＰドメインアドレスと前記移動端末の現在のＳＩＰドメインアドレスが異なる場合に、前記移動端末が在圏するＳＩＰドメインの現在のＳＩＰロケーションサーバに前記移動端末の新しいＳＩＰ位置を送信するステップとを含む。
【００１１】
本発明の第３の態様は移動端末の位置を更新する位置更新システムに関する。このシステムは移動端末が在圏する呼び出しエリアと、前記移動端末が在圏するドメインエリアと、前記移動端末と通信を行い前記移動端末の位置と前記ドメインエリアを更新する呼び出し位置更新サーバとを含む。
【発明の効果】
【００１２】
本発明の各態様によれば位置情報の重複を解消することができる。
【００１３】
本発明の各態様によれば待機モード中の移動端末の位置を特定することができる。
【００１４】
本発明とその目的および利点は、発明を実施するための最良の形態と図面を参照することで最も理解されるであろう。
【発明を実施するための最良の形態】
【００１５】
本発明は、上述した呼び出し方式が位置する第２層より上位のプロトコルを利用し、特に上位層のプロトコルであるSession Initiation Protocol（ＳＩＰ）の各種属性を利用する。ＳＩＰはＩＰベースのサブネットとは関係がなく、ＩＰによるマルチメディア会議のためにインターネット技術特別調査委員会（ＩＥＴＦ）によって標準化されたプロトコルである。図１はＳＩＰを利用する一般的なアーキテクチャの一例を示している。図１に示すようにＳＩＰユーザエージェント１０は電話１２等を使用してプロキシおよびリダイレクトサーバ１４を介して移動端末に信号を送信する。この呼は、プロキシおよびリダイレクトサーバ１４と通信を行うＳＩＰゲートウェイ１６によって制御される。ＳＩＰゲートウェイ１６とＳＩＰユーザエージェント１０間では音声等のリアルタイムの情報パケットを送受信するためにリアルタイム転送プロトコル（ＲＴＰ）が使用される。さらに公衆電話交換網（ＰＳＴＮ）および／または構内交換機（ＰＢＸ）がＳＩＰゲートウェイ１６と通信を行う。
【００１６】
出願人の発明を十分に理解できるようにＳＩＰの属性について以下に概説する。
【００１７】
ＳＩＰはＳＩＰドメインに基づいており、ＩＰアドレスとは関係がない。従ってＳＩＰドメインエリアはサブネットよりも広く、データに関する通信トラフィックを管理する能力よりもシグナリングや設定トラフィック等の制御トラフィックを処理する能力に左右されるため、通常はＬ２呼び出しエリアよりも広い。
【００１８】
ＩＥＴＦのＲＦＣ２５４３（http://www.ietf.org/rfc/rfc2543.txt?number=2543参照）に定義されているように、ＳＩＰは２以上のエンドポイント間における呼の確立、維持および終了に用いられるアスキーベースのアプリケーション層制御プロトコルである。Voice over IP（ＶｏＩＰ）をサポートする他のシグナリングプロトコルと同様にＳＩＰはパケット・電話ネットワークのシグナリングやセッション管理の機能に対応するように設計されている。シグナリングはネットワークの境界を越えて呼の情報を送信する機能であり、セッション管理によりエンドツーエンドの呼の属性を制御する機能である。
【００１９】
ＩＥＴＦのＲＦＣ２５４３と、シスコシステムズ株式会社が公開しているＳＩＰの概要に関するドキュメント（http://www.cisco.com/univercd/cc/td/doc/product/voice/sipsols/biggulp/bgsipov.htm参照）によればＳＩＰは以下の機能を備えている。
１）対象エンドポイント（対象移動端末）の位置を特定する機能：ＳＩＰはアドレス解決、ネームマッピングおよび呼の転送をサポートする。
２）対象エンドポイントのメディア能力を特定する機能：ＳＩＰはセッション記述プロトコル（ＳＤＰ）を利用してエンドポイント間に共通する最小レベルのサービスを特定する。従って会議は全てのエンドポイントによってサポートされるメディア能力で確立される。
３）対象エンドポイントの応答可能性を判断する機能：対象エンドポイントが応答できないために呼を確立できない場合、ＳＩＰは着呼側ユーザがすでに電話中であるのか或いは割り当てられた呼び出し音の回数以内に応答しなかったかを判断する。そしてＳＩＰは対象エンドポイントが応答できない理由を示すメッセージを返信する。
４）発呼側エンドポイントと対象エンドポイント間のセッションを確立する機能：呼が確立した場合、ＳＩＰはエンドポイント間のセッションを確立する。またＳＩＰは別のエンドポイントを会議に加えたりメディア特性やコーデックを変更するなど呼の途中での変更もサポートする。
５）呼の転送と終了を処理する機能：ＳＩＰはあるエンドポイントから別のエンドポイントへの呼の転送をサポートする。呼の転送時にはＳＩＰは単に転送される側と、転送する側が指定する新しいエンドポイント間のセッションを確立し、転送される側と転送する側の間のセッションを終了させる。ＳＩＰは呼の終了時にその呼に関係していた全ての通話者間のセッションを終了する。
【００２０】
ＳＩＰではセッション内のピアをユーザエージェント（ＵＡ）と呼び、ＵＡは次のいずれかの役割を果たす。
１）ユーザエージェントクライアント（ＵＡＣ）：ＳＩＰリクエストを開始するクライアントアプリケーション。
２）ユーザエージェントサーバ（ＵＡＳ）：ＳＩＰリクエストを受信時にユーザに通知を行い、ユーザの代わりに応答を返信するサーバアプリケーション。
ＳＩＰクライアントには以下のものが含まれる。
１）電話：ＵＡＳまたはＵＡＣのいずれかの役割を果たす。ＳＩＰ・ＩＰ電話はＳＩＰリクエストの開始やＳＩＰリクエストに対する応答が可能である。
２）ゲートウェイ：呼の制御を行う。ゲートウェイは数多くのサービスを提供するが、最も一般的なものはＳＩＰを利用して会議を行うエンドポイントと他の端末間の変換機能である。この機能には伝送フォーマット間の変換や通信手順間の変換が含まれる。さらにゲートウェイは音声コーデック間およびビデオコーデック間の変換や、ＬＡＮ側および交換回線網（switched-circuit network）側の両方での呼の確立と終了を行う。
ＳＩＰサーバには以下のものが含まれる。
１）プロキシサーバ：クライアントからＳＩＰリクエストを受信してクライアントの代わりにこのリクエストを転送する仲介装置である。基本的にプロキシサーバはＳＩＰメッセージを受信してネットワーク上の次のＳＩＰサーバに転送する。プロキシサーバは認証、許可、ネットワークアクセス制御、ルーティング、高信頼性のリクエスト再送信およびセキュリティ等の機能を備えている。
２）リダイレクトサーバ：メッセージが進むべき次のホップに関する情報をクライアントに提供し、クライアントは次のホップサーバやＵＡＳと直接情報を交換する。
３）登録サーバ：現在位置の登録を求めるＵＡＣからの要求を処理する。登録サーバは、たいていの場合リダイレクトサーバやプロキシサーバと同じ場所に設置される。
【００２１】
上述したようにＳＩＰには移動端末の位置情報を記憶するロケーションサーバもある。これは、移動端末が別の場所に移動するたびにロケーションサーバに自身の位置を登録する必要があることを意味している。ＳＩＰの位置登録は上述したＬ２呼び出し方式の位置更新とは異なる。Ｌ２プロトコルとＳＩＰは異なる目的（Ｌ２呼び出しロケーション登録とＳＩＰロケーション登録）で位置情報を特定するため、位置更新が各プロトコルで重複して行われる。この重複を解消するために本発明は２つの異なる位置更新を１つ削減する。この方法は移動端末が待機モード中でも有効に機能する。
【００２２】
さらに呼び出し方式は各アクセスネットワークに依存しているため、異種混合アクセスネットワーク環境における呼び出し方式は単一とはならない。呼び出し方式は各アクセスネットワークで独立して働くため本発明の別の態様は異種混合アクセスネットワークにおけるアプリケーションレベルの呼び出しまたはＳＩＰベースの呼び出しに関する。
【００２３】
上述したＳＩＰのコンセプトについて図２〜４を参照して説明する。特に図２はＳＩＰを利用する異種混合アクセスネットワークの概観図である。同図に示すようにＳＩＰサーバ１８、２０、２２および２４がそれぞれドメインaaa.com、bbb.com、ccc.comおよびddd.comに設置されている。待機モード中の移動端末２６はあるドメインから別のドメインへ移動する。
【００２４】
図２の矢印が示すようにbob@ccc.comというアドレスもつ移動端末２６は、最初にＳＩＰドメインccc.comにおいてＳＩＰサーバ２２と関係付けられたＳＩＰロケーションサーバ３２に登録される。この例においてＳＩＰドメインccc.comには複数の基地局３０によって管理される２つの呼び出しエリア２８が含まれている。
【００２５】
laura@aaa.comというアドレスもつ、端末や固定端末等の端末１２がＳＩＰを利用して移動端末２６に電話をかける場合、発呼側端末１２は自身が関係付けられているＳＩＰサーバ１８（ＳＩＰドメインはaaa.com）に対してINVITEリクエストを送信する。このINVITEリクエストは移動端末２６が関係付けられているＳＩＰサーバ２２（ＳＩＰドメインはccc.com）に転送される。ＳＩＰサーバ２２は自身と同じ場所に設置されたＳＩＰロケーションサーバ３２から着呼側である移動端末２６の位置を取得する。
【００２６】
ここで移動端末２６がドメインddd.com等の別の場所に移動すると仮定する。この場合移動端末２６は、ＳＩＰドメインアドレスが変更する際常に、bob@ddd.com等の新しいＳＩＰドメインアドレスと関係付けられたＳＩＰサーバ２４と併置されるＳＩＰロケーションサーバ３２に対して自身の位置の更新を行う。
【００２７】
図２に示すように待機モード中の移動端末２６は新しいＳＩＰアドレスを取得せずにドメインccc.comからドメインddd.comへ移動する。これは移動端末が待機モード中であるためにＳＩＰではドメインccc.comからドメインddd.comへ移動したことを知ることができない為である。従って待機モード中の移動端末２６（アドレスはbob@ccc.com）に送信されたINVITEリクエストはドメインccc.comのＳＩＰサーバ２２によって受信される。ＳＩＰサーバ２２は移動端末２６を発見しようと試みるが、移動端末２６はＳＩＰサーバ２２のドメインの外に存在する。本発明によれば、Ｌ２位置更新をＳＩＰ位置更新と組み合わせて後述するように呼び出しを効果的に行うことでこの問題を解決する。
【００２８】
図３に示す呼び出し方式の一例では、着呼側移動端末２６に対して当該端末と現在関係付けられているアクセスネットワークが呼び出しを行う。呼び出しは第２層プロトコルでありＳＩＰはアプリケーション層プロトコルなので呼び出しメッセージとＳＩＰメッセージはそれぞれ別々の問題である。この例においてINVITEリクエストは移動端末２６と現在関係付けられているアクセスネットワークに送信され、当該アクセスネットワークが移動端末２６に呼び出しを行う。呼び出しが成功した場合、当該アクセスネットワークはINVITEリクエストを移動端末２６に転送する。呼び出しが失敗した場合には、呼び出しが失敗したことを伝えるメッセージがＳＩＰサーバ２２に返信される。
【００２９】
移動端末２６は様々なアクセスネットワークにアクセス可能なので、効率的な呼び出し方式によれば、接続確立時間を削減できると同時に呼び出しトラフィックを節約することができる。呼び出しは第２層プロトコルでありＳＩＰはアプリケーション層プロトコルであるため、本発明はＬ２とＳＩＰの両方の位置更新メカニズムを調和させる異種混合呼び出し方式を提供する。
【００３０】
図３および４に示すように呼び出しエリアがカバーする範囲（図３の点線で囲まれた３つのエリア）とＳＩＰドメインエリアがカバーする範囲（図４の太線で囲まれた２つのエリア）は一致していない。複数のセル４４を含む図３の呼び出しエリア４２の設定は移動通信システムおよびＬ２の問題である。他方ＳＩＰドメインエリア４６の設定はccc.com等のＳＩＰアドレスの問題である。従って、呼び出しエリア４２はＳＩＰドメインエリア４６とぴったりと一致しない。このため移動端末２６が呼び出しエリア４２の境界とＳＩＰドメインエリア４６の境界を同時に横断するたびに各エリアに対して位置更新メッセージを送信する必要がある。Mobile IPを利用する場合にはＳＩＰの位置更新メッセージを送信する必要はないが、上述したように待機モード中の移動端末はアクティブモードになるまで新しいＩＰアドレスを取得することができない。従って待機モード中の移動端末２６がＳＩＰドメインエリアの境界を横断した場合、ＳＩＰでは着呼側である移動端末２６と情報を交換することができない。
【００３１】
この問題を解決するために本発明は、システムの運用者に対して呼び出しエリア４２とＳＩＰドメインエリア４６が一致するように定めてもらうことを検討している。さらに本発明は、Ｌ２呼び出し位置登録とＳＩＰ位置登録の両方の目的を果たす単一位置更新メカニズム（特に呼び出し位置更新）について検討している。
【００３２】
本発明では呼び出し位置更新メッセージによって移動端末の位置と同時にＳＩＰドメインエリアを更新することで、単一位置更新メカニズムを実現する。図５に示すように移動端末２６が呼び出しエリア４２の境界を横断すると、呼び出し位置更新を呼び出し位置更新サーバ４８に送信する。呼び出し位置更新サーバ４８は移動端末２６の位置すなわちＳＩＰドメインアドレスを管理するＳＩＰロケーションサーバ５２の更新を行う。従って移動端末２６は２つの異なる位置更新メッセージを送信する必要がない。
【００３３】
呼び出し位置更新サーバ４８は移動端末２６の位置更新メッセージを適切なＳＩＰロケーションサーバ６２に送信する。例えばＳＩＰアドレスbob@bbb.comをもつ移動端末２６がＳＩＰドメインccc.comへ移動する場合、呼び出し位置更新サーバ４８は移動端末２６の新しい位置情報をＳＩＰロケーションサーバ５２に送信するか或いは当該サーバ５２の移動端末２６の位置情報を削除する。同時に呼び出し位置更新サーバ４８は移動端末２６の位置更新情報をＳＩＰロケーションサーバ５４に送信する。これは呼び出し位置更新サーバ４８が移動端末２６の現在のＳＩＰアドレスを知っているためである。
【００３４】
図６は位置更新手順の概略を示すフローチャートである。呼び出し位置更新サーバ４８は移動端末２６の信号が送信されたＬ２呼び出しエリアの位置を特定して、このＬ２呼び出しエリアと、移動端末２６が現在関係付けられている或いは現在接続している呼び出しエリアとが同一であるか否かを判断する（ステップ１００）。両エリアが同一でない場合は再び移動端末２６の信号の送信を待つ。両エリアが同一である場合はＬ２位置更新と現在のＳＩＰアドレスが呼び出し位置更新サーバ４８に送信される（ステップ１０２）。呼び出し位置更新サーバ４８はアドレスを受信すると、移動端末２６の現在のＳＩＰドメインエリアがＬ２呼び出しエリア更新時のＳＩＰドメインエリアと同一であるか否かを判断する（ステップ１０４）。両エリアが同一である場合はＳＩＰドメインアドレスが更新されないため呼び出し位置更新サーバ４８は何も行わない（ステップ１０６）。両エリアが同一でない場合、呼び出し位置更新サーバ４８は移動端末２６の現在のＳＩＰ位置情報を当該端末が現在関係付けられているＳＩＰロケーションサーバ６２に送信する（ステップ１０８）。移動端末２６の現在のＳＩＰアドレス（例えばbob@ccc.com）は新しいＳＩＰアドレス（例えばbob@aaa.com）に更新される。呼び出し位置更新サーバ４８は新しいＳＩＰサーバから取得した新しいＳＩＰアドレスを前のＳＩＰサーバに転送する。
【００３５】
発呼側端末１２が移動端末２６に電話をかけると移動端末２６と現在関係付けられているＳＩＰサーバがINVITEリクエストを処理する。このＳＩＰサーバはINVITEリクエストを受信するとＬ２呼び出し方式を使用して待機モード中の移動端末２６をアクティブモードにする。
【００３６】
図７はＳＩＰドメインエリアが複数の呼び出しエリアによって構成される一例を示す図である。同図に示すようにＳＩＰドメインエリアＡは呼び出しエリアＡおよびＢと重なっている。移動端末２６が呼び出しエリアＡから呼び出しエリアＢへ移動する場合、呼び出し位置更新サーバ４８に位置更新メッセージが送信されるが、このメッセージによってＳＩＰロケーションサーバ６２に対するＳＩＰドメインの更新がトリガされることはない。一方移動端末２６が呼び出しエリアＢから呼び出しエリアＣへ移動する場合は呼び出し位置更新サーバ４８に対する位置更新メッセージによってＳＩＰロケーションサーバ６２に対するＳＩＰドメインの更新がトリガされる。またＳＩＰロケーションサーバ６２内の、移動端末２６の前の位置情報を削除する旨のメッセージを送信することも可能である。図５はＳＩＰドメインエリアと呼び出しエリアとが一致しない例を示しているが、ＳＩＰドメインエリアは呼び出しエリアの中央に配置すべきでないことに留意しなければならない。
【００３７】
本発明に係る方法はソフトウェアプログラムコードや、当該プログラムコードを記録したコンピュータ読み取り可能な記録媒体として実現されてもよい。また、本発明に係る方法は上記ソフトウェアプログラムコードをエンコードした電気信号として実現され、この電気信号は有線または無線通信網を介して送受信されてもよい。
【００３８】
以上本発明について説明してきたが、この説明を本発明に対する限定と解釈すべきではない。本発明に対しては特許請求の範囲から逸脱することなく様々な追加、代替およびその他の変更を加えることが可能である。
【図面の簡単な説明】
【００３９】
【図１】ＳＩＰを利用する一般的なアーキテクチャを示す図である。
【図２】ＳＩＰを利用する異種混合（heterogeneous）アクセスネットワークを示す図である。
【図３】周知の呼び出し方式に基づく移動端末の呼び出しエリアを示す図である。
【図４】図３の呼び出しエリアに在圏する移動端末のＳＩＰドメインエリアを示す図である。
【図５】本発明に係る単一位置更新メカニズムの一実施形態を示す図である。
【図６】本発明に係る位置更新プロセスの一実施形態を示すフローチャートである。
【図７】本発明に係る単一位置更新メカニズムの別の実施形態を示す図である。
【符号の説明】
【００４０】
１０…ＳＩＰユーザエージェント、１２…端末、１４…プロキシおよびリダイレクトサーバ、１６…ＳＩＰゲートウェイ、１８、２０、２２、２４…ＳＩＰサーバ、２６…移動端末、２８、４２…呼び出しエリア、３０…基地局、３２、５２、５４、５６、６２、６４…ＳＩＰロケーションサーバ、４４…セル、４６…ＳＩＰドメインエリア、４８…呼び出し位置更新サーバ
【図１】
2004201316.tif 000003
【図２】
2004201316.tif 000004
【図３】
2004201316.tif 000005
【図４】
2004201316.tif 000006
【図５】
2004201316.tif 000007
【図６】
2004201316.tif 000008
【図７】
2004201316.tif 000009